(57)【要約】 【課題】商品選択時に興趣性を持たせつつ販売促進効果を高める。【解決手段】情報処理装置（サーバ装置）１は、商品毎に対応付けられた形状又は大きさの商品図形を表示する図形表示手段（制御部１１）と、複数の商品図形が収容される収容領域を購入金額と対応付けて表示する収容領域表示手段（制御部１１）と、ユーザー操作に基づく複数の商品図形の収容領域内への配置を受け付ける受付手段（制御部１１）と、収容領域内に配置された商品図形のレイアウトが所定の条件を満たしている場合に、該商品図形に対応する商品の組み合わせでの購入を収容領域に対応する金額で許可する許可手段（制御部１１）とを備える。【選択図】図３
2015219794.tif 000002
【特許請求の範囲】
【請求項１】
商品毎に対応付けられた形状又は大きさの商品図形を表示する図形表示手段と、
複数の前記商品図形が収容される収容領域を購入金額と対応付けて表示する収容領域表示手段と、
ユーザー操作に基づく複数の前記商品図形の前記収容領域内への配置を受け付ける受付手段と、
前記収容領域内に配置された前記商品図形のレイアウトが所定の条件を満たしている場合に、該商品図形に対応する商品の組み合わせでの購入を前記収容領域に対応する金額で許可する許可手段と、を備えることを特徴とする情報処理装置。
【請求項２】
請求項１記載の情報処理装置において、
前記許可手段は、前記収容領域内に配置された前記商品図形のレイアウトが、前記商品図形毎に重ならず、なおかつレイアウト全体として前記収容領域内に収まっている場合には、前記所定の条件を満たしていると判断することを特徴とする情報処理装置。
【請求項３】
請求項１記載の情報処理装置において、
前記収容領域は、仮想的な重力が設定され、
前記商品図形には予め仮想的な重量と重心位置が設定されていて、
前記許可手段は、前記収容領域に載置された前記商品図形のレイアウトの重心位置が、前記収容領域の重心位置から所定量以上ずれた場合には、前記所定の条件を満たしていると判断することを特徴とする情報処理装置。
【請求項４】
請求項１〜３のいずれか一項に記載の情報処理装置において、
前記購入が許可された商品の組み合わせと前記購入金額とを記憶する購入商品記憶手段をさらに備え、
前記許可手段は、
前記購入商品記憶手段に記憶された商品の組み合わせを表示させ、当該組み合わせの商品の購入を、該組み合わせに対応する購入金額で他のユーザーにも許可することを特徴とする情報処理装置。
【請求項５】
請求項４記載の情報処理装置において、
前記購入商品記憶手段は、前記許可された商品図形の組み合わせを配置したユーザーの識別情報をさらに記憶し、
前記表示された商品の組み合わせでの購入が確定した場合には、該商品の組み合わせに対応付けられた識別情報のユーザーに対して報酬を付与する報酬付与手段を備えることを特徴とする情報処理装置。
【請求項６】
商品毎に対応付けられた形状又は大きさの商品図形を表示する図形表示ステップと、
複数の前記商品図形が収容される収容領域を購入金額と対応付けて表示する収容領域表示ステップと、
ユーザー操作に基づく複数の前記商品図形の前記収容領域内への配置を受け付ける受付ステップと、
前記収容領域内に配置された前記商品図形のレイアウトが所定の条件を満たしている場合に、該商品図形に対応する商品の組み合わせでの購入を前記収容領域に対応する金額で許可する許可ステップと、を備えることを特徴とする情報処理方法。
【請求項７】
商品の情報を提供するコンピュータを、
商品毎に対応付けられた形状又は大きさの商品図形を表示する図形表示手段と、
複数の前記商品図形が収容される収容領域を購入金額と対応付けて表示する収容領域表示手段と、
ユーザー操作に基づく複数の前記商品図形の前記収容領域内への配置を受け付ける受付手段と、
前記収容領域内に配置された前記商品図形のレイアウトが所定の条件を満たしている場合に、該商品図形に対応する商品の組み合わせでの購入を前記収容領域に対応する金額で許可する許可手段として機能させることを特徴とするプログラム。
【発明の詳細な説明】
【技術分野】
【０００１】
本発明は、情報処理装置、情報処理方法及びプログラムに関する。
【背景技術】
【０００２】
いわゆるネットショッピングでは、ユーザーがＰＣ等の端末機器からショッピングサイトにアクセスして、当該ショッピングサイトで紹介されている商品群から購入したい商品を選択するようになっている（例えば特許文献１参照）。商品の選択時においては、一旦カートに蓄積して、所望の商品が揃った後に購入処理が行われることになる。
【先行技術文献】
【特許文献】
【０００３】
【特許文献１】特開２０１２−１４５７９号公報
【発明の概要】
【発明が解決しようとする課題】
【０００４】
ところで、ネットショッピングでは扱う商品が膨大であるため、ユーザーがテキスト検索やカテゴリ検索等により目的の商品を見つけ出してから購入する場合が多い。そのため、販売者側からすると、目的の商品以外の商品を購入する機会が損失されてしまい、さらなる販売促進効果を求めていた。
【０００５】
このため、本発明の課題は、商品選択時に興趣性を持たせつつ販売促進効果を高めることである。
【課題を解決するための手段】
【０００６】
以上の課題を解決するため、請求項１記載の発明に係る情報処理装置は、
商品毎に対応付けられた形状又は大きさの商品図形を表示する図形表示手段と、
複数の前記商品図形が収容される収容領域を購入金額と対応付けて表示する収容領域表示手段と、
ユーザー操作に基づく複数の前記商品図形の前記収容領域内への配置を受け付ける受付手段と、
前記収容領域内に配置された前記商品図形のレイアウトが所定の条件を満たしている場合に、該商品図形に対応する商品の組み合わせでの購入を前記収容領域に対応する金額で許可する許可手段と、を備えることを特徴としている。
【０００７】
請求項２記載の発明は、請求項１記載の情報処理装置において、
前記許可手段は、前記収容領域内に配置された前記商品図形のレイアウトが、前記商品図形毎に重ならず、なおかつレイアウト全体として前記収容領域内に収まっている場合には、前記所定の条件を満たしていると判断することを特徴としている。
【０００８】
請求項３記載の発明は、請求項１記載の情報処理装置において、
請求項１記載の情報処理装置において、
前記収容領域は、仮想的な重力が設定され、
前記商品図形には予め仮想的な重量と重心位置が設定されていて、
前記許可手段は、前記収容領域に載置された前記商品図形のレイアウトの重心位置が、前記収容領域の重心位置から所定量以上ずれた場合には、前記所定の条件を満たしていると判断することを特徴としている。
【０００９】
請求項４記載の発明は、請求項１〜３のいずれか一項に記載の情報処理装置において、
前記購入が許可された商品の組み合わせと前記購入金額とを記憶する購入商品記憶手段をさらに備え、
前記許可手段は、
前記購入商品記憶手段に記憶された商品の組み合わせを表示させ、当該組み合わせの商品の購入を、該組み合わせに対応する購入金額で他のユーザーにも許可することを特徴としている。
【００１０】
請求項５記載の発明は、請求項４記載の情報処理装置において、
前記購入商品記憶手段は、前記許可された商品図形の組み合わせを配置したユーザーの識別情報をさらに記憶し、
前記表示された商品の組み合わせでの購入が確定した場合には、該商品の組み合わせに対応付けられた識別情報のユーザーに対して報酬を付与する報酬付与手段を備えることを特徴としている。
【００１１】
請求項６記載の発明に係る情報処理方法は、
商品毎に対応付けられた形状又は大きさの商品図形を表示する図形表示ステップと、
複数の前記商品図形が収容される収容領域を購入金額と対応付けて表示する収容領域表示ステップと、
ユーザー操作に基づく複数の前記商品図形の前記収容領域内への配置を受け付ける受付ステップと、
前記収容領域内に配置された前記商品図形のレイアウトが所定の条件を満たしている場合に、該商品図形に対応する商品の組み合わせでの購入を前記収容領域に対応する金額で許可する許可ステップと、を備えることを特徴としている。
【００１２】
請求項７記載の発明に係るプログラムは、
商品の情報を提供するコンピュータを、
商品毎に対応付けられた形状又は大きさの商品図形を表示する図形表示手段と、
複数の前記商品図形が収容される収容領域を購入金額と対応付けて表示する収容領域表示手段と、
ユーザー操作に基づく複数の前記商品図形の前記収容領域内への配置を受け付ける受付手段と、
前記収容領域内に配置された前記商品図形のレイアウトが所定の条件を満たしている場合に、該商品図形に対応する商品の組み合わせでの購入を前記収容領域に対応する金額で許可する許可手段として機能させることを特徴としている。
【発明の効果】
【００１３】
本発明によれば、商品選択時に興趣性を持たせつつ販売促進効果を高めることができる。
【図面の簡単な説明】
【００１４】
【図１】本実施形態に係るネットワークシステムの概略構成を示すブロック図である。
【図２】本実施形態に係る端末機器の主制御構成を示すブロック図である。
【図３】本実施形態に係るサーバ装置の主制御構成を示すブロック図である。
【図４】本実施形態に係る詰め放題コンテンツ用の処理の流れを示すフローチャートである。
【図５】本実施形態に係る詰め放題コンテンツ用のトップページの概略図である。
【図６】本実施形態に係る選択コース用のＷｅｂページの概略を示す概略図である。
【図７】本実施形態に係る選択コース用のＷｅｂページの概略を示す概略図である。
【図８】本実施形態に係る選択コース用のＷｅｂページの概略を示す概略図である。
【図９】本実施形態に係る購入手続ページの概略を示す概略図である。
【図１０】選択コース用のＷｅｂページの変形例を示す概略図である。
【図１１】選択コース用のＷｅｂページの変形例を示す概略図である。
【発明を実施するための形態】
【００１５】
以下に本発明の実施形態につき図面を参照して説明する。以下は本発明の一実施形態であって本発明を限定するものではない。
【００１６】
以下、図面を参照しながら、この発明の一実施形態について詳しく説明する。
［１−１．システム構成の説明］
まず、本実施形態に係るネットワークシステム１００の構成について説明する。
図１は本実施形態に係るネットワークシステム１００の概略構成を示すブロック図である。
ネットワークシステム１００は、図１に示すように、情報処理装置としてのサーバ装置１と、複数の基地局２と、複数の端末機器３と、を備えて構成されている。このネットワークシステム１００において、サーバ装置１と基地局２とは、通信ネットワークＮにより互いに通信自在に接続されている。通信ネットワークＮは、具体的には、インターネットや電気通信事業者等の電話回線網や携帯電話通信網等である。
【００１７】
サーバ装置１は、例えば、ＰＣ、ＷＳ（Work Station）等の情報機器であり、端末機器３からのアクセスに応じて所定の動作を行う。
【００１８】
基地局２は、携帯電話通信網などにおける無線基地局であり、端末機器３と通信ネットワークＮとの間のデータ通信を中継する。このため、ネットワークシステム１００では、サーバ装置１と端末機器３とが、互いに通信可能に接続されている。
【００１９】
端末機器３は、ＰＣ、スマートフォンやタブレットなどのスマートデバイス、携帯電話機等の各ユーザーが所持して使用する端末機器である。また、端末機器３は、通信ネットワークＮ（具体的には、端末機器の通信回線や無線ＬＡＮ（Local Area Network）等）を用いて、サーバ装置１との間で相互に通信を行う。
【００２０】
［１−２．端末機器の構成の説明］
次に、端末機器３の構成について説明する。
図２は端末機器３の主制御構成を示すブロック図である。
端末機器３は、制御部３１、操作部３２、表示部３３、記憶部３４、通信部３５を備えて構成されている。
制御部３１は、ＣＰＵ、ＲＯＭ、ＲＡＭなどを備えて構成され、ＲＡＭの作業領域に展開されたＲＯＭや記憶部３４に記憶されたプログラムデータとＣＰＵとの協働により、端末機器３の各部を統括制御する。
【００２１】
操作部３２は、例えば、各種機能に対応付けられたキーなどを有するキー入力部を備え、ユーザーからの操作入力を受け付けて、操作入力に応じた操作信号を制御部３１へと出力する。なお、操作部３２は、例えば、表示部３３と一体的に形成されたタッチパネルなどや、マウス等のポインティングデバイスであってもよい。
表示部３３は、例えば、ＬＣＤ、有機ＥＬ（Electro Luminescence）素子を用いたＦＰＤ（Flat Panel Display）などのディスプレイを備え、制御部３１から出力された表示制御信号に基づいた画像を表示画面に表示する。
【００２２】
記憶部３４は、例えば、ＨＤＤ、半導体メモリなどにより構成され、プログラムデータや各種設定データ等のデータを制御部から読み書き可能に記憶する。
通信部３５は、アンテナや通信回路を備え、制御部３１による制御の下で外部機器との間の無線通信を行う。具体的には、通信部３５は、基地局２で中継されることで、通信ネットワークＮを介してデータ通信を行う。
【００２３】
［１−３．サーバ装置の構成の説明］
次に、サーバ装置１の構成について説明する。
図３はサーバ装置１の主制御構成を示すブロック図である。
サーバ装置１は、Ｗｅｂページを各端末機器３に配信するものであり、図３に示すように、制御部１１と、操作部１２と、表示部１３と、記憶部１４と、通信部１５と、を備えて構成されている。
制御部１１は、本発明に係る図形表示手段、収容領域表示手段、受付手段、許可手段、報酬付与手段であり、サーバ装置１の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、サーバ装置１の各部を統括制御する。
【００２４】
操作部１２は、例えば、文字入力キー、数字入力キー、その他各種機能に対応付けられたキーなどを有するキーボード、マウス等のポインティングデバイスなどを備え、ユーザーからの操作入力を受け付けて、操作入力に応じた操作信号を制御部１１へと出力する。
【００２５】
表示部１３は、例えば、ＣＲＴ（Cathode Ray Tube）やＬＣＤ（Liquid Crystal Display）などのディスプレイを備え、制御部１１から出力された表示制御信号に基づいた画像を表示画面に表示する。
【００２６】
記憶部１４は、本発明に係る購入商品記憶手段であり、例えば、ＨＤＤ（Hard disk drive）、半導体メモリなどにより構成され、プログラムデータや各種設定データ等のデータを制御部１１から読み書き可能に記憶する。また、記憶部１４には、ショッピングサイトを構成する各Ｗｅｂページの情報が記憶されている。各Ｗｅｂページには、ショッピングサイトのトップページや、トップページにリンクが付与された各コンテンツのページ群等が含まれている。コンテンツとしては、例えば、仮想的に商品の詰め放題が体験できる詰め放題コンテンツがある。
【００２７】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。
【００２８】
［２．動作の説明］
次に、本実施形態に係るサーバ装置１における情報処理方法の一例について説明する。
【００２９】
ショッピングサイトのトップページに対して端末機器３からアクセスがあるとサーバ装置１は、当該トップページを構成するデータ（ｈｔｍｌデータ、画像データ、スクリプトデータ等）を記憶部１４から読み出してトップページを構築し、端末機器３に送信する。
【００３０】
その後、ユーザーが端末機器３を操作することで詰め放題コンテンツが選択されると、図４に示す詰め放題コンテンツ用の処理を実行する。
具体的には、図４に示すように、サーバ装置１の制御部１１は、詰め放題コンテンツ用のＷｅｂページを構成するデータを記憶部１４から読み出して、詰め放題コンテンツ用のトップページを構築して端末機器３に送信し、端末機器３に詰め放題コンテンツ用のトップページを表示する（ステップＳ１）。
【００３１】
図５は、詰め放題コンテンツ用のトップページＴの概略図である。詰め放題コンテンツには、例えば３０００円コース、５０００円コース、１００００円コース、３００００円コース、５００００円コースの五つのコースが予め用意されており、図５に示すように、詰め放題コンテンツ用のトップページＴには、各コースを選択するためのボタンＢ１，Ｂ２，Ｂ３，Ｂ４，Ｂ５が設置されている。
【００３２】
ユーザーが端末機器３を操作して何れかのボタンＢ１〜Ｂ５が選択されると、サーバ装置１の制御部１１は、選択されたボタン（例えば本実施形態ではボタンＢ２）に対応するコース（例えば５０００円コース）用のＷｅｂページを構成するデータを記憶部１４から読み出して、選択コース用のＷｅｂページを構築して端末機器３に送信し、端末機器３に選択コース用のＷｅｂページを表示する（ステップＳ２）。
【００３３】
図６及び図７は、選択コース用のＷｅｂページの概略を示す概略図である。図６及び図７に示すように、選択コース用のＷｅｂページＣには、選択コースの対象商品を一覧で示す商品欄Ｓと、バッグを模した収容領域Ｇと、商品の購入手続を取るための指示が入力される決定キーＫ１と、キャンセルキーＫ２とが設けられている。また、ＷｅｂページＣには、コース名が表示されている。コース名には購入金額「５０００円」も含まれているため、収容領域Ｇと購入金額とが対応付けて表示される。
【００３４】
商品欄Ｓには、詰め放題の対象商品となる複数の商品の名称（図中、Ａ商品、Ｂ商品・・・と示す。）と、その商品の価格と、商品の種類毎に対応付けられた形状又は大きさの商品図形Ｓａ〜Ｓｇとが、商品毎に組となって表示されている。全ての対象商品は、スクロールバーＲを操作することで確認できるようになっている。
【００３５】
図６では収容領域Ｇが空の状態を示しており、この空の収容領域Ｇに対して、商品図形Ｓａ〜Ｓｇをユーザー操作により配置し収容する。配置時においては、商品図形Ｓａ〜Ｓｇを、商品欄Ｓに表示された向きで配置する以外にも回転させて配置することも可能である。収容領域Ｇ内における商品図形Ｓａ〜Ｓｇのレイアウトは、常にサーバ装置１の制御部１１によってモニタリングされている。つまり、ユーザー操作に基づく複数の商品図形Ｓａ〜Ｓｇの収容領域Ｇ内への配置が受け付けられている。
図７では、収容領域Ｇに商品図形Ｓａが２個、商品図形Ｓｂ，Ｓｃ，Ｓｄ，Ｓｆが一個ずつ配置され、合計金額が５２００円となった状態を示している。また、図８では、収容領域Ｇに商品図形Ｓａが８個、商品図形Ｓｂが５個配置され、合計金額が６５００円となった状態を示している。
【００３６】
なお、各コースの対象商品は、各コースの価格と商品の価格とのバランスを考慮して、ショッピングサイトの運営者により任意に決められている。また、各商品の種類毎に対応付けられた商品図形Ｓａ〜Ｓｇについても、各コースの難易度に応じて運営者によりその形状及び大きさが任意に決められている。例えば、商品の価格に反比例した大きさに自動的に設定することとしてもよい。なお、ここでいう大きさとは、商品図形Ｓａ〜Ｓｇと収容領域Ｇとの相対的な大きさのことである。また、商品図形Ｓａ〜Ｓｇは、対応の商品の外形を模した形状であってもよい。こうした場合、商品と商品図形との関係性をユーザーは容易に視認することができ、好ましい。
【００３７】
そして、ユーザー操作によって収容領域Ｇ内に配置された商品図形Ｓａ〜Ｓｇのレイアウトが所定の条件を満たしているか否かを、サーバ装置１の制御部１１が判断する（ステップＳ３）。
具体的には、収容領域Ｇ内で商品図形Ｓａ〜Ｓｇ毎に重ならず、なおかつレイアウト全体として完全に収容領域Ｇ内に収まっている場合に、前記所定の条件を満たしていると判断する（ステップＳ３；ＹＥＳ）。この場合、サーバ装置１の制御部１１は決定キーＫ１を有効にする（ステップＳ４）。有効となった決定キーＫ１が操作されると（ステップＳ５；ＹＥＳ）、収容領域Ｇ内に配置された複数の商品図形Ｓａ〜Ｓｇの組み合わせでの購入が収容領域Ｇに対応する金額で許可され、ステップＳ７に移行する。
【００３８】
他方、収容領域Ｇ内で商品図形Ｓａ〜Ｓｇ同士が重なっていたり、商品図形Ｓａ〜Ｓｇが収容領域Ｇからはみ出していたりするときは、サーバ装置１の制御部１１は前記所定の条件を満たしていないと判断する（ステップＳ３；ＮＯ）。この場合においては、決定キーＫ１が無効のままであり、決定キーＫ１が操作されても前記指示が許可されない。
【００３９】
また、キャンセルキーＫ２が操作されると（ステップＳ６；ＹＥＳ）、ステップＳ１に移行して他のコースが選択可能な状態となる。キャンセルキーＫ２が操作されなければ（ステップＳ６；ＮＯ）、ステップＳ３に移行する。
【００４０】
ステップＳ７では、サーバ装置１の制御部１１は、購入手続ページを構成するデータを記憶部１４から読み出して、購入手続ページを構築して端末機器３に送信し、端末機器３に購入手続ページを表示する。
【００４１】
図９は、購入手続ページＭの概略を示す概略図である。購入手続ページＭには、収容領域Ｇに収容された商品図形Ｓａ〜Ｓｇに対応する商品の個数と、単価と、合計金額とが商品毎に表示され、これに加えて総額も表示されている。また、購入手続ページＭには、購入キーＫ３と、キャンセルキーＫ４とが表示されている。なお、本実施形態の場合、総額は５２００円であるものの、５０００円コースが選択されているために実際の購入金額は５０００円となる。
購入キーＫ３が操作されると（ステップＳ８；ＹＥＳ）、サーバ装置１の制御部１１は、購入手続ページＭに表示された各商品の購入手続を実行する。
キャンセルキーＫ４が操作されると（ステップＳ９；ＹＥＳ）、サーバ装置１の制御部１１はステップＳ２に移行して再度、選択コースのコース用ＷｅｂページＣを端末機器３に表示する。
また、キャンセルキーＫ４が操作されない場合（ステップＳ９；ＮＯ）では、そのままの状態が維持される。
【００４２】
そして、購入手続ページＭに遷移した後に商品が購入された場合、サーバ装置１の制御部１１は、当該購入が許可された商品の組み合わせと、購入金額と、その組み合わせとなる商品図形Ｓａ〜Ｓｇを配置したユーザーの識別情報（例えばユーザーアカウント）を記憶部１４に記憶させる。そして、他のユーザーの端末機器３から詰め放題コンテンツ用のトップページにアクセスがあると、サーバ装置１の制御部１１は、記憶部１４に記憶された商品の組み合わせを詰め放題の一例としてトップページに表示し、当該組み合わせの商品の購入を、該組み合わせに対応する購入金額で他のユーザーにも許可する。そして、この表示された組み合わせの商品の全てが他の端末機器３によって詰め放題コンテンツから購入され確定した場合には、サーバ装置１の制御部１１は、商品の組み合わせを作成したユーザーアカウントに対して報酬を付与することでユーザーに報酬を付与する。ここで報酬としては、商品購入時の割引やクーポンの配布、ポイントの配布などが挙げられる。
【００４３】
［３．効果］
以上のように、本実施形態によれば、収容領域Ｇ内に配置された商品図形Ｓａ〜Ｓｇのレイアウトが所定の条件を満たしている場合に、商品図形Ｓａ〜Ｓｇに対応する商品の組み合わせでの購入が収容金額Ｇに対応する金額で許可されるので、ユーザーは、所定の条件を満たすレイアウトとなるように試行錯誤しつつ商品図形Ｓａ〜Ｓｇを収容領域Ｇ内に配置することになる。さらに、所定の条件を満たす範囲であれば、より多くの商品を選択することができ、ユーザー自身が本当に欲しい商品以外も購入することができる。したがって、商品選択時に興趣性を持たせつつ、販売促進効果を高めることができる。
【００４４】
また、収容領域Ｇ内に配置された商品図形Ｓａ〜Ｓｇのレイアウトが、商品図形Ｓａ〜Ｓｇ毎に重ならず、なおかつレイアウト全体として完全に収容領域Ｇ内に収まっている場合に所定の条件を満たしていると判断されるので、収容領域Ｇ内により多くの商品図形Ｓａ〜Ｓｇを詰め込む作業をユーザーに体感させることができる。つまり、いわゆる詰め放題での買い物を仮想空間においても実現することができ、ネットショッピングにおいても詰め放題の楽しさをユーザーに提供することが可能となる。
なお、詰め放題の雰囲気をより醸し出すために、商品図形Ｓａ〜Ｓｇが詰まっていくことによって収容領域Ｇがいくらか膨張するような演出を施してもよい。この膨張度合いについてもショッピングサイトの管理者により任意に決定されることになる。また、この膨張の度合いにより定められている収容領域Ｇ内に商品図形Ｓａ〜Ｓｇを配置可能にするようにしてもよい。さらに、商品図形Ｓａ〜Ｓｇが収容領域Ｇから所定量（例えば半分未満）だけはみ出していても、所定の条件を満たしていると判断するようにしてもよい。また、商品図形Ｓａ〜Ｓｇごとの重なりを許容し、その重なった領域の面積が所定量以内であっても、所定の条件を満たしていると判断してもよい。
【００４５】
また、購入が許可された商品の組み合わせと購入金額が記憶され、なおかつその組み合わせの商品の購入が他のユーザーに対しても前記購入金額で許可されるので、複数のユーザー間で商品の組み合わせを共有することができる。
また、他の端末機器３に表示された組み合わせの商品の全てが他の端末機器３から購入されると、その商品の一覧を作成したユーザーアカウントに対して報酬が付与されるので、ユーザーが収容領域Ｇ内に商品図形Ｓａ〜Ｓｇを配置する際の目的意識も高まり、なおかつ興趣性も一層高められることになる。
【００４６】
［４．その他］
なお、本発明は上記実施形態に限らず適宜変更可能である。
例えば、上記実施形態では、サーバ装置１が本発明に係る情報処理装置である場合を例示して説明したが、端末機器３が情報処理装置であっても構わない。具体的には、端末装置３がショッピングサイトのトップページにアクセスすると、サーバ装置１から詰め放題コンテンツ用のスクリプト及びデータが一括して端末装置３にダウンロードされる。端末装置３は、ダウンロードされたスクリプト及びデータに基づいて上述した詰め放題コンテンツ用の処理を実行することになる。
【００４７】
また、上記実施形態では、詰め放題の買い物を仮想的に実現した場合を例示しているが、商品図形Ｓａ〜Ｓｇの配置の仕方としてはこれに限定されるものではない。具体的には、図１０及び図１１に示す選択コース用のＷｅｂページＣ１では、収容領域Ｇ１がシーソーを模した台座となっている。この収容領域Ｇ１に対しては仮想的な重力が設定されている。なお、図１１は収容領域Ｇ１が空の場合を示しており、図１１は収容領域Ｇ１に商品図形Ｓａ，Ｓｄ，Ｓｆが載置された場合を示している。
各商品図形Ｓａ〜Ｓｇには予め仮想的な重量と重心位置が設定されていて、これらを収容領域Ｇ１上に載置することで当該収容領域Ｇ１がぐらつくようになっている。そして収容領域Ｇ１に載置された商品図形Ｓａ〜Ｓｇのレイアウトの重心位置と、収容領域Ｇ１の重心位置とが所定量以上ずれた場合には、収容領域Ｇ１の傾きも大きくなって商品図形Ｓａ〜Ｓｇが崩れるようになっている。さらに、収容領域Ｇ１には、最大積載荷重が設定されており、収容領域Ｇ１上に載置された商品図形Ｓａ〜Ｓｇの総重量が最大積載荷重を越えると商品図形Ｓａ〜Ｓｇが崩れるようになっている。ここで、各商品の商品図形Ｓａ〜Ｓｇの重量及び重心位置と、収容領域Ｇ１の最大積載量とは、各コースの難易度に応じて運営者により任意に決められている。
そして、収容領域Ｇ内に積み上げられた商品図形Ｓａ〜Ｓｇのレイアウトが崩れない場合には所定の条件が満たされていると判断されるようになっている。
これによって、詰め放題以外の仮想的な買い物方法も実現することができ、より多様な買い物方法をユーザーに提供することができる。
【００４８】
また、上記実施形態では、商品図形Ｓａ〜Ｓｇ及び収容領域Ｇ，Ｇ１を二次元で表現しているが、いずれをも三次元で表現することも可能である。こうした場合、商品図形を収容領域内に配置する際の困難性が高まるものの興趣性も高められることになる。
【符号の説明】
【００４９】
１      サーバ装置（情報処理装置）
２      基地局
３      端末機器
１１      制御部（図形表示手段、収容領域表示手段、受付手段、許可手段、報酬付与手段）
１２      操作部
１３      表示部
１４      記憶部（購入商品記憶手段）
１５      通信部
１００      ネットワークシステム
Ｇ      収容領域
Ｓａ〜Ｓｇ  商品図形
【図１】
2015219794.tif 000003
【図２】
2015219794.tif 000004
【図３】
2015219794.tif 000005
【図４】
2015219794.tif 000006
【図５】
2015219794.tif 000007
【図６】
2015219794.tif 000008
【図７】
2015219794.tif 000009
【図８】
2015219794.tif 000010
【図９】
2015219794.tif 000011
【図１０】
2015219794.tif 000012
【図１１】
2015219794.tif 000013